(57)【特許請求の範囲】
【請求項１】
座部を傾動可能に支持する支持部と、当該支持部に対して座部の前方を昇降させる昇降機構とを備え、当該支持部によって支持される座部を一定周期で傾動させる傾動機構を具備してなる傾動椅子において、
前記支持部によって支持される座部の支点位置を座部の前後方向に変更しうる変更手段を設けたことを特徴とする傾動椅子。
【請求項２】
前記変更手段が、支持部を構成する支持軸を座部の前後方向に連続的に変更しうる手段であることを特徴とする請求項１に記載の傾動椅子。
【請求項３】
前記変更手段が、支持部を構成する支持軸を座部の前後方向に段階的に変更しうる手段であることを特徴とする請求項１に記載の傾動椅子。
【請求項４】
前記変更手段が、支持軸を有する支持部の取付位置を座部の前後方向に変更しうる手段であることを特徴とする請求項１に記載の傾動椅子。
【発明の詳細な説明】
【０００１】
【発明の属する技術分野】
本発明は、座部を周期的に前後傾動させて着座者の疲労を緩和させる椅子に関するものである。
【０００２】
【従来の技術】
一般に、作業者が事務関係の業務を多く取り扱うような場合、着座状態での作業時間が長くなり、長時間の着座姿勢を維持することに基づいて身体に疲労を誘発することが多い。そこで、現在このような長時間の作業に対して着座者の疲労を緩和させるように、座部を一定周期でゆっくりと動かすようにした椅子が提案されている。このような椅子は、座部を支持軸などで支持し、また、座部の前方を一定周期で昇降させることによって座部をゆっくりと傾動させ、着座者の臀部、大腿部、腰背部の疲労および下肢の腫脹を軽減するようにしたものである。より詳しくは、座部の傾動機構を機械運動的なものに転換し、座面を機械的に前後および／または左右に傾動反復運動させ、座位姿勢に係る股関節角度（体幹大腿角）、腰仙角（仙岬角）および／または体幹側屈角度を連続的に変更してゆくことにより筋肉の可動性を高め、腰背部を主とする骨盤周りの筋肉の持続的緊張を緩和し、かつ座面との接触部位を移動させることにより臀部及び大腿部の痛みや下肢の腫脹を軽減するようにしたものである。
【０００３】
【発明が解決しようとする課題】
ところで、このように座部を一定周期で傾動させるようにした場合、特に体格の違いや着座姿勢の違いなどによって坐骨結節部の位置と傾動支点位置とが離れると傾動動作によって着座者の視線の上下動が大きくなってしまい、かえって目眩などの不快感を与えてしまう可能性がある。また、体格などの違いにより坐骨結節部の位置に個人差があることも分かっている。
【０００４】
そこで、本発明は、このような不具合に着目してなされたもので、着座者の体型や着座状態などに対応して最適に疲労を軽減できるような傾動椅子を提供することを目的とするものである。
【０００５】
【課題を解決するための手段】
すなわち、本発明の傾動椅子は上記課題を解決するために、座部を傾動可能に支持する支持部を備え、当該支持部によって支持される座部を一定周期で傾動させる傾動機構、当該支持部に対して座部の前方を昇降させる昇降機構とを設けることによって着座者の臀部、大腿部、腰背部の疲労および下肢の腫脹を軽減するようにした傾動椅子において、前記支持部によって支持される座部の支点位置を座部の前後方向に変更しうる変更手段を設けるようにしたものである。
【０００６】
このように構成することによって、着座者の体型や着座状態に対応して傾動支点位置を変更することができ、目眩の発生を低減させて傾動椅子本来の効果である着座者の疲労を緩和させることができるようになる。
【０００７】
また、このように座部を一定周期で傾動させる方法として、座部を支持する支持部から離れた位置を昇降させることによって当該座部を一定周期で傾動させる傾動機構を設ける。
【０００８】
このように、着座者の荷重の加わる座部の位置を回転可能に支持する一方、相対的に大きな荷重の加わりにくい座部の支持部から離れた位置を昇降させるようにすることによって、小さな駆動力で座部を傾動させることができる。
【０００９】
更に、変更手段として、支持部を構成する支持軸を座部の前後方向に連続的に変更しうるように構成する。
【００１０】
これによって、無段階的に座部の傾動支点位置を変化させることができ、着座者の体型などに応じて細かな調整を行うことができるようになる。
【００１１】
また、変更手段として、支持部を構成する支持軸を座部の前後方向に段階的に変更しうるように構成する。
【００１２】
このように構成することによって、変更手段を簡単なものに構成することができ、更に、支持部の取付位置を座部の前後方向に変更できるように構成した場合は、複雑な機構を設けることなくより簡単に支持位置を変更することができる。
【００１３】
【発明の実施の形態】
以下、本発明の一実施の形態を、図面を参照して説明する。図１は本発明の一実施の形態を示す傾動椅子１００の概観側面図であり、また、図２は座部３を傾動させるための傾動機構４および補強部材３２を示す正面図、図３はそのＡ−Ａ断面図を示したものである。また、図４から図６は座部３の後方の支持部６における種々の実施の形態を示したものである。
【００１４】
この傾動椅子１００は、事務用および作業用、監視用として使用されるものであり、脚部１と座部３との間に機械的に構成された傾動機構４を備え、この傾動機構４による傾動動作によって座部３の傾斜角度を一定周期でゆっくり変化させるとともに、傾動支点位置を前後方向に変化させることによって、着座者の体型などに応じて坐骨結節部近傍に傾動支点を位置させ、目眩の発生を低減させつつ着座者の疲労を緩和させうるようにしたものである。以下、この傾動椅子１００の構成について詳細に説明する。
【００１５】
傾動椅子１００の脚部１は、脚羽根１０を有する脚柱１１に傾動機構４と背支桿２０を取り付けるようにしたものであり、この脚柱１１の上端に傾動機構４のケーシング５を、また、この脚柱１１の後方に背支桿２０を固定して取り付けるようにしたものである。
【００１６】
この脚部１の後方に取り付けられる背支桿２０は、その先端側にクッション部材を有する背もたれ本体２１を取り付けており、この背支桿２０と背もたれ本体２１からなる背もたれ部２を座部３に対して分離かつ独立して設けるようにしている。このように背もたれ部２を座部３に対して分離独立して設けることによって、座部３の傾斜角度を変化させた場合に、背もたれ部２と座部３との間に挟まれた着座者の腰部近傍の屈曲動作と伸展動作を繰り返し行なえるようにし、筋肉の可動性を促進させている。より詳しくは、座部３と背もたれ部２との角度を小さくした場合に座部３と背もたれ部２とで挟まれた着座者の腰部近傍を屈曲するようにし、また、座部３と背もたれ部２の角度を大きくした場合に着座者の腰部の屈曲を伸展するようにしている。なお、本実施の形態においては、背もたれ部２を固定式のものとして説明するが、適宜、脚部１に対して後傾可能な機構を採用することもできる。
【００１７】
一方、この背もたれ部２に対応して設けられる座部３は、座面側に設けられたクッション部材３０と、このクッション部材３０の裏側に設けられる座板３１によって構成される。この座板３１は、クッション部材３０を略全面に亘って支持するように薄板状の部材によって構成されるものであり、その下面側に座板３１より小さく設けられた金属製の補強部材３２を取り付けるようにしたものである。
【００１８】
この座部３の下方に取り付けられる補強部材３２は、その下面側に前方軸受７９などを取り付け、この補強部材３２を介して支持部材６１や前方軸受７９などから傾動動作時の力を補強部材３２にて分散させ、更に、この補強部材３２よりも大きい座板３１を介してクッション部材３０全体にこの力を分散させるようにしている。
【００１９】
この座部３を傾動させる傾動機構４は、図１や図２などに示すように、座部３の後方を支持するための支持部６と、外部から供給される電力によって座部３の前方を昇降動作させる昇降機構７とを備え、この支持部６と昇降機構７をケーシング５に取り付けて座部３を基準位置から3度前後傾動させるようにしたものである。
【００２０】
この昇降機構７は、家庭用電源によって駆動するモータ７０の回転運動を減速機７１にて減速させ、この減速させた回転軸７２の回転運動を継手７３を介して偏芯部７４（図３参照）に伝えて昇降アーム７５を昇降させるようにしたものであり、より具体的には、Ａ−Ａ断面図である図３に示すように、継手７３から伸びる軸に円形の回転部材を備えた偏芯部７４を固定して取り付け、また、この偏芯部７４を回転可能に保持する保持部材７６にその偏芯部７４の外形と同形状の円形開口部７７を設けて偏芯部７４をその内部で回転できるようにし、これによって、保持部材７６および昇降アーム７５を一定周期で昇降させるようにしたものである。そして、この昇降アーム７５の上端側に、ピン７８を回転可能に保持する前方軸受７９を設け、この前方軸受７９にピン７８を貫通させることによって、座部３の前方を一定周期で規則正しく昇降させることで座を前後方向に傾動させるようにしている。
【００２１】
一方、座部３の後方に設けられている支持部６は、ケーシング５の上面および補強部材３２の下面に跨って設けたものであり、図４に示すように、ケーシング５および補強部材３２それぞれ対向するように取り付けたスライドレール６０と、このスライドレール６０の対向する内部でスライド可能にした支持部材６１とを備え、この支持部材６１を傾動椅子１００の前後方向に連続的にスライドさせるようにした調整機構６２を設けて構成したものである。なお、図４において（ａ）は支持部６の正面図を示し、（ｂ）は（ａ）のＢ−Ｂ断面図を示したものである。
【００２２】
この支持部材６１は、ケーシング５および補強部材３２の左右両端近傍にそれぞれ設けられており、スライドレール６０の溝部６０ａに嵌め込まれるスライド部６１ａと、このスライド部６１ａの左右から直立する後方軸受６１ｂとを設け、この後方軸受６１ｂに支持軸６１ｄを回転可能に支持させるようにしている。また、下側のスライド部６１ａの中央後方には、前後方向に貫通するネジ孔を有するナット部６１ｃを取り付けており、このナット部６１ｃを介して支持部材６１をスライドレール６０に沿ってスライドさせられるようにしている。
【００２３】
また、このスライドレール６０は、ケーシング５の上面部分および補強部材３２の下面部分に固定して取り付けるようにしたものであり、正面視略Ｌ字状のスライドレール６０を互いに向かい合わせることによって対向する溝部６０ａを形成するようにしている。そして、この溝部６０ａにスライド部６１ａを嵌め込み、調整機構６２を介して支持部材６１を前後方向にスライドさせて傾動支点位置である支持軸６１ｄの位置を変更し、ロックネジ６０ｂで固定できるようにしている。
【００２４】
この調整機構６２は、ネジ部材６２ａの基端側をその位置で回転可能に保持するケーシング５に固定された固定部材６２ｂと、下側の支持部材６１の中央後方に設けられたナット部６１ｃなどによって構成されており、支持部材６１をスライドさせる場合、ネジ部材６２の先端側をナット部６１ｃにねじ込むとともに、座部３の後方からこのネジ部材６２ａを回転させることによって、ケーシング５に固定された固定部材６２ｂに対して支持部材６１を連続的にスライドさせるようにしたものである。
【００２５】
次に、このように構成された傾動椅子１００の傾動機構４を駆動させて座部３を一定周期で傾動させる場合の動作について説明する。
【００２６】
まず、着座者が着座した状態でケーシング５の側面に設けられた電源スイッチＳＷをＯＮにし、これによってモータ７０に電力を供給する。そして、モータ７０を駆動させて図示しないモータ回転軸を回転させるとともに減速機７１によってこの回転を減速し、この減速された回転力を継手７３を介して偏芯部７４に伝達する。そして、回転軸７２を中心に偏芯部７４を回転させて、この偏芯部７４を保持する保持部材７６およびこの保持部材７６に取り付けられている昇降アーム７５を一定周期で昇降させる。そして、この昇降アーム７５の昇降動作に基づいてピン７８および前方軸受７９と一体となって座部３の前方を昇降させ、この昇降動作に基づいて、座部３の後方に設けられた支持軸６１ｄを中心に座部３を１５秒から２０秒程度の周期でゆっくりと傾動させる。
【００２７】
一方、着座者が自己の体型や着座姿勢などに基づいて傾動動作に違和感を感じる場合、例えば、支持軸６１ｄの前方に着座することによって上体部分が上下動して視線に変動を来たしてしまうような場合、座部３の後方からネジ部材６２ａを回転させて、最適な傾動支点位置に支持部材６１をスライドさせる。そして、これによって着座者の体型や好みの着座姿勢に対応した傾動支点位置における傾動動作を可能にする。
【００２８】
このように、上記実施の形態では、傾動機構４を用いて座部３を一定周期で傾動させることによって着座者の臀部、大腿部、腰背部の疲労および下肢の腫脹の軽減、腰部の疲労の緩和、目眩を軽減するようにした傾動椅子１００において、座部３の後方から調整機構６２を構成するネジ部材６２ａを介して座部３の傾動支点位置を前後方向にスライドできるようにしたので、着座者の体型や着座状態に適した傾動支点位置を選択できるようになる。
【００２９】
また、この実施の形態では、座部３の後方からネジ部材６２ａを回転させることによって傾動支点位置を変更することができるため、傾動椅子１００を分解することなく簡単に傾動支点位置を変更することができるようになる。
【００３０】
なお、上記実施の形態では、変更手段としてスライド機構を有する支持部６について説明したが、図５および図６に示す他の実施の形態を用いて変更手段を実現することもできる。
【００３１】
すなわち、このように傾動支点位置を変更する場合、図５に示すように、予め補強部材３２とケーシング５に複数のネジ孔６４を前後方向に段階的に設けておき、このように設けられたネジ孔６４に支持部材を位置決めしてネジ部材６３で固定できるようにしても良い。
【００３２】
また、図６に示すように、複数の軸孔６１０ａを有する後方軸受６１０ｂの一方を補強部材３２に設け、他方の後方軸受６１０ｂを向かい合わせてケーシング５に取り付ける。そして、向かい合って設けられた後方軸受６１０ｂの軸孔６１０ａの孔位置を合わせ、この状態で複数の軸孔６１０ａのうち、１つの任意の軸孔６１０ａにピン状の支持軸６１ｄを差し込んで取り付けるようにする。このように段階的に支持軸６１ｄの位置を変更できるようにすることによって、スライドレール６０や複雑な調整機構６２などを設ける必要がなくなり、より簡単な構成で傾動支点位置を前後方向に変更することができるようになる。
【００３３】
なお、本発明は上記実施の形態に限定されることなく、種々変更することができる。例えば、上記実施の形態においては、傾動機構４として支持軸６１ｄを支点として座部３の前方を昇降させる構成について説明したが、これに限らず、座部３の傾動支持軸自体に回転駆動力を与え、その傾動支持軸を回転駆動させることによって座部３を周期的に傾動させるようにしても良く、また、体型などに応じて傾動支点位置を変更させる場合は、この回転駆動する支持軸自体を前後方向にスライドさせるようにしても良い。
【００３４】
【発明の効果】
本発明の傾動椅子は、座部を傾動可能に支持する支持部を備え、当該支持部によって支持される座部を一定周期で傾動させる傾動機構を設けることによって着座者の臀部、大腿部、腰背部の疲労および下肢の腫脹を軽減するようにした傾動椅子において、前記支持部によって支持される座部の支点位置を座部の前後方向に変更しうる変更手段を設けるようにしたので、着座者の体型や着座状態に対応して傾動支点位置を変更することができ、目眩の発生を低減させて傾動椅子本来の効果である着座者の疲労を緩和させることができるようになる。
【００３５】
また、このように座部を一定周期で傾動させる方法として、座部を支持する支持部から離れた位置を昇降させることによって当該座部を一定周期で傾動させる傾動機構を設けたので、着座者の荷重の加わる座部の位置を回転可能に支持する一方、相対的に大きな荷重の加わりにくい座部の支持部から離れた位置を昇降させるようにすることによって、小さな駆動力で座部を傾動させることができる。
【００３６】
更に、変更手段として、支持部を構成する支持軸を座部の前後方向に連続的に変更しうるように構成すれば、無段階的に座部の傾動支点位置を変化させることによって、着座者の体形などに応じて細かな調整を行うことができる。
【００３７】
また、変更手段として、支持部を構成する支持軸を座部の前後方向に段階的に変更しうるように構成すれば、変更手段を簡単なものに構成することができ、特に、支持部の取付位置を座部の前後方向に変更させるように構成した場合は、複雑な機構を設けることなくより簡単に支持位置を変更することができる。
【図面の簡単な説明】
【図１】本発明の一実施の形態を示す傾動椅子の概観側面図。
【図２】同形態の傾動機構の要部正面図。
【図３】図２におけるＡ−Ａ断面図。
【図４】同形態における支持部を示す図。
【図５】同形態における支持部の第二の実施の形態を示す側面図。
【図６】同形態における支持部の第三の実施の形態を示す側面図。
【符号の説明】
１００・・・傾動椅子
３・・・座部
４・・・傾動機構
６・・・支持部
７・・・昇降機構
６１ｄ・・・支持軸
【図１】
0004838451.tif 000002
【図２】
0004838451.tif 000003
【図３】
0004838451.tif 000004
【図４】
0004838451.tif 000005
【図５】
0004838451.tif 000006
【図６】
0004838451.tif 000007